(57)【要約】【課題】より外れにくいバンパーを実現し、より耐久性があり、家具などを傷つけにくい電気掃除機を提供すること。【解決手段】吸引風を発生させるファンモータ７と、本体１前方に配置され前記ファンモータ７の吸気側と連通する集塵室２と、集塵室２の略上方を覆う開閉自在なる蓋体３と、蓋体３の側壁５に設けた軟質材によるバンパー４とを備え、蓋体３は側面に凹部８を介して突出した突出部材６を有し、バンパー４は凹部８に勘合する嵌合部４ｂと突出部材６を覆うカバー部４ａとから構成する。【選択図】図２
2007319450.tif 000002
【特許請求の範囲】
【請求項１】
吸引風を発生させるファンモータと、本体前方に配置され前記ファンモータの吸気側と連通する集塵室と、前記集塵室の略上方を覆う開閉自在なる蓋体と、前記蓋体の側面に設けた軟質材によるバンパーとを備え、前記蓋体は側面に凹部を介して突出した突出部材を有し、前記バンパーは前記凹部に勘合する嵌合部と突出部材を覆うカバー部とからなることを特徴とする電気掃除機。
【請求項２】
嵌合部は凹部の溝の幅よりも局部的に厚くかつ前記突出部材側に突設した凸状部を有し、前記嵌合部を前記凹部に圧入すること特徴とする請求項１に記載の電気掃除機。
【請求項３】
突出部材は本体の前方及び／又は後方にへら状に突出した突出部を有し、バンパーは前記突出部に相対する端部を袋状に形成した袋状部を有し、前記袋状部を前記突出部に差し込んで固定してなる請求項１または２記載の電気掃除機。
【請求項４】
突出部材は水平部に設けた孔部を有し、バンパーは前記孔部に相対する位置に設けた貫通部を有し、前記貫通部を貫通し、前記孔部に嵌合する突起部を有する固定部材により前記バンパーを前記突出部材に固定してなる請求項１〜３のいずれか１項に記載の電気掃除機。
【発明の詳細な説明】
【技術分野】
【０００１】
本発明は、電気掃除機のバンパーに関するものである。
【背景技術】
【０００２】
従来の電気掃除機を、図５、図６を用いて説明する。
【０００３】
図５は電気掃除機の斜視図である。従来のこの種の電気掃除機は前部に集塵室３１、後部にモータを内装している。図６は前記集塵室３１の縦の局部断面（Ｄ−Ｄ）である。集塵室３１の側壁はその下端３２が下部材の上端に形成されたバンパー３３と略一体のパッキン部３４に圧接している従来のキャニスター型電気掃除機が一般に知られている  （例えば、特許文献１参照）。
【特許文献１】特許第３０６３１３３号公報
【発明の開示】
【発明が解決しようとする課題】
【０００４】
しかしながら、上記構成では、万一、バンパーを引っ張ったりした場合には容易に外れてしまうという課題があった。
【０００５】
本発明は、上記課題を解決するもので、バンパーの確実にすると共に機械的に固定することにより、より外れにくいバンパーを実現し、より耐久性があり、家具などを傷つけにくい電気掃除機を実現するものである。
【課題を解決するための手段】
【０００６】
上記従来の課題を解決するために、本発明の電気掃除機は、吸引風を発生させるファンモータと、本体前方に配置され前記ファンモータの吸気側と連通する集塵室と、前記集塵室の略上方を覆う開閉自在なる蓋体と、前記蓋体の側面に設けた軟質材によるバンパーとを備え、前記蓋体は側面に凹部を介して突出した突出部材を有し、前記バンパーは前記凹部に勘合する嵌合部と突出部材を覆うカバー部とからなることを特徴とするもので、バンパーの上下および前後を袋状にすることで突出部材を覆うように構成することで、より外れにくいバンパーを実現し、より耐久性があり、家具などを傷つけにくい電気掃除機を実現するものである。
【発明の効果】
【０００７】
本発明によると、より外れにくいバンパーを実現し、より耐久性があり、家具などを傷つけにくい電気掃除機を提供することができる。
【発明を実施するための最良の形態】
【０００８】
第１の発明は、吸引風を発生させるファンモータと、本体前方に配置され前記ファンモータの吸気側と連通する集塵室と、前記集塵室の略上方を覆う開閉自在なる蓋体と、前記蓋体の側面に設けた軟質材によるバンパーとを備え、前記蓋体は側面に凹部を介して突出した突出部材を有し、前記バンパーは前記凹部に勘合する嵌合部と突出部材を覆うカバー部とからなることを特徴とするもので、突出部を覆うように構成することで、上下に対しても外れにくく、また、上下に対しても緩衝性のあるバンパーの具備が実現できるもので、より安全で耐久性の高く、家具などを傷つけにくい電気掃除機を実現することができる。更に、蓋から突出部材が張り出している為、使用中に掃除機本体に物がぶつかる前にバンパーにぶつかることとなるので本体の傷付きを防止することができる。
【０００９】
第２の発明は、特に第１の発明において、嵌合部は凹部の溝の幅よりも局部的に厚くかつ前記突出部材側に突設した凸状部を有し、前記嵌合部を前記凹部に圧入すること特徴とするもので、バンパーの固定を確実に行うことが出来ると共に、蓋とバンパーとの隙間をなくすことができる。
【００１０】
第３の発明は、特に第１または２の発明において、突出部材は本体の前方及び／又は後方にへら状に突出した突出部を有し、バンパーは前記突出部に相対する端部を袋状に形成した袋状部を有し、前記袋状部を前記突出部に差し込んで固定してなるもので、前方または後方へのずれを防止し、かつ、はずれにくくすることができる。
【００１１】
第４の発明は、特に第１〜３のいずれか１つの発明において、突出部材は水平部に設けた孔部を有し、バンパーは前記孔部に相対する位置に設けた貫通部を有し、前記貫通部を貫通し、前記孔部に嵌合する突起部を有する固定部材により前記バンパーを前記突出部材に固定してなるもので、パンパーを貫通して蓋体に機械的に固定するため、より強固に固定されるもので、より安全で耐久性の高く、家具などを傷つけにくい電気掃除機を実現することができる。
【００１２】
以下、本発明の実施の形態について、図面を参照しながら説明する。なお、この実施の形態によりこの発明が限定されるものではない。
【００１３】
（実施の形態１）
本発明の第１の実施の形態について、図１〜図４を用いて説明する。
【００１４】
図１は、本発明の第１の実施の形態である電気掃除機本体１（以下、本体と呼ぶ）の側面図である。図２（ａ）は集塵室２の蓋体３の縦側面断面図、（ｂ）は（ａ）のＡ−Ａ断面図である。
【００１５】
図において、電気掃除機本体１の後方には塵埃を吸引するための吸引風を発生させるファンモータ７を内装し、このファンモータ７の前方にフィルター（図示せず）を介して塵埃を捕集する集塵室２が設けてある。蓋体３に固定された側面の軟質材よりなるバンパー４は、蓋体３から突出し蓋体３の側壁５と略平行に形成された突出部材６に対して、外方から覆う形で取り付けられている。このバンパー４の上方より蓋体３の側壁５と突出部材６間に設けた凹部８に挿入されるバンパー４の嵌合部４ｂは凹部８の溝の幅Ｌよりも局部的に厚い凸状部４ｃを持ち、なおかつ凸状部４ｃは突出部材６側に突設しており、この凸状部が挿入によるつぶれることで、バンパー４の嵌合部４ｂは蓋３の側壁５側に押し付けられる構成となっている。同様にバンパー４の下部４ｄは袋状に形成し、突出部材６と側壁５の間に挿入されている。これによってバンパー４は上下方向にも緩衝作用を持ち、なおかつ上下方向に共にずれることがないものである。
【００１６】
図３は突出部材６の前方における突出部材６とバンパー４の嵌合状態をを底面より図示した図である。突出部材６の前方は、へら状に突出した突出部６ａを有している。この突出部６ａに相対するバンパー４の当該嵌合部４ｅは袋状に形成されており、図に示す様に突出部６ａを嵌合部４ｅに差し込むことによって、さらに前後方向にも固定される。従って、前方向に対してもバンパー４による緩衝性が実現されるものである。なお、袋状に形成する深さは、軟質材で構成するバンパー４の柔軟性、伸び率等により最適に設計することは言うまでもない。
【００１７】
図４（ａ）はバンパー４の後方上部の斜視図、（ｂ）は嵌合時の要部断面図である。図に示す様に、突出部材６の上面に設けた孔部９と略同位置にバンパー４にも貫通部１０が設けてあり、固定部材１１の一部に設けられた突起部１２を貫通部１０に貫通し、孔部９に嵌合させることにより固定部材１１は突出部材に固定される。これによって後方部分も前後にずれることも制限されるもので、よりしっかりバンパー４が蓋体３に取り付けられ、外れることが無くなり、より耐久性のあり、緩衝作用を持った電気掃除機が実現できるものである。
【００１８】
なお、以上説明した本発明の実施の形態はそれぞれ代表例として説明を行ったものであり、本実施の形態が本発明の請求の範囲を制限するものではない。
【産業上の利用可能性】
【００１９】
以上のように、本発明にかかる電気掃除機は、より緩衝性の高いバンパーを持つ電気掃除機の構成に極めて有用なものである。
【図面の簡単な説明】
【００２０】
【図１】本発明の実施の形態１を示す電気掃除機の側面図
【図２】（ａ）同実施の形態１を示す電気掃除機の蓋体の局部断面図、（ｂ）（ａ）のＡ−Ａ断面図
【図３】本発明の実施の形態１を示す電気掃除機の蓋体の前方側面図
【図４】（ａ）本発明の実施の形態１を示す電気掃除機のバンパーの後方取り付け部の斜視図、（ｂ）（ａ）の要部断面図
【図５】従来の電気掃除機の外観斜視図
【図６】従来の電気掃除機の蓋体の局部断面図
【符号の説明】
【００２１】
１    電気掃除機本体
２    集塵室
３    蓋体
４    バンパー
４ａ  カバー部
４ｂ  嵌合部
４ｃ  凸状部
４ｅ  嵌合部
５    側壁
６    突出部材
６ａ  突出部
７    ファンモータ
８    凹部
９    孔部
１０  貫通部
１１  固定部材
１２  突起部
【図１】
2007319450.tif 000003
【図２】
2007319450.tif 000004
【図３】
2007319450.tif 000005
【図４】
2007319450.tif 000006
【図５】
2007319450.tif 000007
【図６】
2007319450.tif 000008